(57)【要約】【課題】簡易な構成にしつつ、打楽器の打音を状況に応じて容易に調整する。【解決手段】本発明は、スネアドラム１０の打面に載置して用いられ、そのスネアドラム１０の打音を調整するための打音調整シートＡであって、その打面に対する位置決めを行う位置決め部Ａａを有し、かつ、打点の目安となる領域を示す打点マーク２０を記していることを特徴としている。【選択図】図１
2017102235.tif 000002
【特許請求の範囲】
【請求項１】
打楽器の打面に載置して用いられ、その打楽器の打音を調整するための打音調整シートであって、
前記打面に対する位置決めを行う位置決め部を有し、かつ、打点の目安となる領域を示す打点マークを記していることを特徴とする打音調整シート。
【請求項２】
一定の厚みにし、かつ、打面全域を覆う面積にしていることを特徴とする請求項１に記載の打音調整シート。
【請求項３】
請求項１又は２に記載の打音調整シートを、複数枚互いに重ね合わせて使用することを特徴とする打音調整シートの使用方法。
【請求項４】
同一又は互いに異なる厚みにした打音調整シートを互いに重ね合わせて使用することを特徴とする請求項３に記載の打音調整シートの使用方法。
【発明の詳細な説明】
【技術分野】
【０００１】
本発明は、例えばドラムセットのスネアドラムやタムタム等の打楽器の打音調整に用いられる打音調整シート及び打音調整シートの使用方法に関する。
【背景技術】
【０００２】
従来、例えばドラムセットのスネアドラムやタムタム等は、ライブ会場やスタジオ等に備え付けられているものを使用することがほとんどである。
熟練したドラマーは、自らの好みの音に近づけるため、スネアドラム等のヘッドの展張状態を調整するものの、展張状態の調整だけでは自ずと限界がある。一方、例えばギタリストであれば、演奏予定の曲に合わせた複数本のギターを持参し、演奏する曲に合わせて使い分けることもできるが、演奏する曲に合わせて複数のドラムセットを用意することは現実的ではない。
【０００３】
ところで、打楽器の音を調整しようとして、「消音ドラムヘッド」とした名称において特許文献１に、また、和太鼓打撃音調整具とした名称において特許文献２にそれぞれ開示された構成のものがある。
【０００４】
上記特許文献１に開示された消音ドラムヘッドは、ドラムヘッドに振動吸収材を貼設してなるものであり、これにより、ドラムヘッドを強く叩いても充分な消音性を有しつつ、しかも実際のドラムの打叩感を得ようとしたものである。
【０００５】
一方、特許文献２に開示された和太鼓打撃音調整具は、周縁部に装着用の取り付け部を複数備え、和太鼓の打撃面を覆うゴムシートマットと、粘着手段により、前記ゴムシートマットに自在に張り合わされ、その和太鼓の打撃面に当接配置されるフェルトシートから成るものである。
【発明の概要】
【発明が解決しようとする課題】
【０００６】
しかしながら、特許文献１に記載の消音ドラムヘッドは、振動吸収材をドラムヘッドに貼設することにより、あくまでも消音効果を高めようとしたものであり、打音を調整するという機能はない。
一方、特許文献２に記載の和太鼓打撃音調整具は、打撃音を調整するという点において本願発明と共通点があるようにも考えられるが、その着脱が容易ではない上に、上記したような状況に応じて打音を調整するという発想が欠落している。
【０００７】
そこで本発明は、簡易な構成にしつつ、打楽器の打音を状況に応じて容易に調整することができる打音調整シート及び打音調整シートの使用方法の提供を目的としている。
【課題を解決するための手段】
【０００８】
上記課題を解決するための本発明は、打楽器の打面に載置して用いられ、その打楽器の打音を調整するための打音調整シートであって、前記打面に対する位置決めを行う位置決め部を有し、かつ、打点の目安となる領域を示す打点マークを記したものである。
【発明の効果】
【０００９】
本発明によれば、簡易な構成にしつつ、打楽器の打音を状況に応じて容易に調整することができる。
【図面の簡単な説明】
【００１０】
【図１】打楽器の一例に係るスネアドラムと本発明の第一の実施形態に係る打音調整シートを示す分解斜視図である。
【図２】（Ａ）は、同上の打音調整シートの正面図、（Ｂ）はその側面図である。
【図３】本発明の第二の実施形態に係る打音調整シートの正面図である。
【発明を実施するための形態】
【００１１】
以下に、本発明に係る一実施形態に係る打音調整シートについて、図面を参照して詳細に説明する。図１は、打楽器の一例に係るスネアドラムと本発明に係る第一の実施形態に係る打音調整シートを示す分解斜視図、図２（Ａ）は、本発明に係る第一の実施形態に係る打音調整シートの正面図、（Ｂ）はその側面図である。
【００１２】
以下、本実施形態においては、所謂ドラムセットの一部を構成するスネアドラム１０を打楽器の一例として説明する。
図１に示すように、スネアドラム１０は、円筒形にしたシェル１１の上下側縁部に円環形のリム１２，１３を嵌合しているとともに、それら各リム１２，１３にヘッド１４とサイド（図示しない）をそれぞれ張設したものである。
【００１３】
本発明の第一の実施形態に係る打音調整シートＡは、上記スネアドラム１０の打音を調整するためのものであり、上記したスネアドラム１０の打面であるヘッド１４に載置して用いる。なお、図１においては、打音調整シートＡをヘッド１４に載置した様子を想像線で示している。
【００１４】
図２に示すように、打音調整シートＡは、一定の厚みにし、かつ、打面全域を覆う面積にしている。すなわち、スネアドラム１０に対応させて、上記したリム１２の内径にほぼ一致する外径ｄにした円板形にし、かつ、一定の厚みｔに形成している。
本実施形態においては、打音調整シートＡの外径ｄをリム１２の内径にほぼ一致させていることにより、その外縁部Ａａを、打面に対する位置決めを行う位置決め部として機能させている。
本実施形態における「打楽器の打音の調整」とは、打音の高低ばかりでなく、打音の音質を調整することを含むものである。
【００１５】
打音調整シートＡの中心には、スティックによる打点の目安となる領域を示す所要の直径にしたリング形の打点マーク２０が印刷等によって記されている。
本実施形態において示す打点マーク２０は、所要の外径にしたリング形の模様としているが、例えば星型等の凸多角形や公知の模様としてもよい。
「所要の外径」は、ドラマーの経験則に基づいて適宜設定すればよい。
【００１６】
上記した打音調整シートＡは、これの外径ｄをリム内径にほぼ一致させている。これにより、打面に対する位置決めを容易に行うことができるとともに、上記した打点マーク２０をヘッド１４の中心、換言するとスネアドラム１０の中心にほぼ一致させることができる。
【００１７】
従って、ドラマーが、その打点マーク２０を目安として叩くことが、ヘッド１４の中心を叩くことになり、よりよい打音を出すことができる。この場合、打面に打音調整シートＡを載置しているので、スティックによってヘッド１４を直接叩くことがないので、ヘッド１４の摩耗を防止できる。
【００１８】
本実施形態に示す打音調整シートＡは、ポリ塩化ビニール（ＰＶＣ）製のものであるが、ポリプロピレン（ＰＰ）やポリエチレンテレフタレート（ＰＥＴ）を採用してもよい。打音調整シートの販売や輸送に際しては、利便性を考慮して矩形状のシートに切り込みや溝を作り、使用に際して切り込みや溝に沿って切り離すことで所望の形状、例えば円形状の打音調整シートとなるような仕様にすることも可能である。
この打音調整シートＡの厚みｔとしては、０．０５ｍｍ〜１ｍｍとすることができるが、好ましくは０．２ｍｍ〜０．５ｍｍとするとよい。
上記した打音調整シートＡの材質，厚みｔを適宜設定することにより、打音の高低や音質の調整を行うことができる。
【００１９】
上記した打音調整シートＡの使用方法は、打音を調整したいスネアドラム１０の打面に載置するだけでよいが、打音のさらなる調整のために、打音を勘案して複数枚互いに重ね合わせて用いることもできる。この場合にも、複数枚の打音調整シートＡを単に重ね合わせればよいので、その調整を極めて容易に行うことができる。
なお、打音調整シートＡを重ね合わせて使用する場合、同一又は互いに異なる厚みにした打音調整シートＡを互いに重ね合わせて使用することができる。この場合、材質の異なる打音調整シートＡを組み合わせて使用してもよい。
【００２０】
すなわち、打音を確かめつつ、重ね合わせる打音調整シートＡの枚数の増減も行えるので、例えば演奏する曲に合わせて、所要の枚数を重ね合わせたものをセットして予め用意しておけば、打音を曲毎に容易に変えることができる。
なお、打面に対する位置ずれや重ね合わせたものどうしの相対的な摺動を抑えるために、打音調整シートの一方の面の一部に貼り付けと引き剥がしを繰り返し行える粘着層を形成してもよい。
このような粘着層を形成することにより、打面の傾斜角度が大きい場合に、打面から打音調整シートが剥落することを防止することもできる。
【００２１】
さらに、打音調整シートとして円板形のものを例として示したが、図３に示すような形態のものとしてもよい。図３は、本発明に係る第二の実施形態に係る打音調整シートの正面図である。なお、上述した実施形態において説明したものと同等のものについては、そのものと同一の符号を付して説明を省略する。
【００２２】
本実施形態に係る打音調整シートＢは、略十字形の輪郭にしたものであり、この中心に打点マーク２０を配置している。
この打音調整シートＢにおいては、互いに９０度間隔にした四つの脚部３０のうち、打点マーク２０を挟む両側に位置する脚部３０，３０の先端部Ｂａ，Ｂａ間を寸法ｄとすることより、それら先端部Ｂａを上記した位置決め部として機能させている。
すなわち、打点の目安となる領域を有し、かつ、位置決め部として機能する部分を有していればよい。
【００２３】
なお、上述した実施形態においては、ドラムセットのスネアドラムの打面に打音調整シートＡを載置して用いた例について説明したが、バスドラム，タムタム，フロアタムタムにも適用できる。
【００２４】
また、上記したドラムセットに限るものではなく、和太鼓の他、打面を有する他の打楽器に用いることができることは勿論である。この場合、粘着層を形成した打音調整シートを用いることにより、打面の傾斜が急峻であっても、その打音調整シートが打面から脱落することを防止できる。
【符号の説明】
【００２５】
１０            スネアドラム
１１            シェル
１２，１３      各リム
１４            ヘッド
２０            打点マーク
Ａ，Ｂ          打音調整シート
Ａａ，Ｂａ      位置決め部
ｔ              厚み
【先行技術文献】
【特許文献】
【００２６】
【特許文献１】登録実用新案公報３００４７６８号
【特許文献２】実開昭３‐１２７３９６号公報
【図１】
2017102235.tif 000003
【図２】
2017102235.tif 000004
【図３】
2017102235.tif 000005